(57)【要約】【課題】排水ホースの接続の信頼性を高めた洗濯機の排水ホースを提供する。【解決手段】外箱１の下部に設けた台枠１１と、洗濯兼脱水槽４を内包する水槽２と、水槽２底部に接続された排水弁１３と、排水弁１３に接続された機内ホース１４と、機内ホース１４に接続し台枠１１の背面側に設けた排水パイプ１２と、排水パイプ１２に接続し水槽２の水を機外に排水する排水ホース１５とを備え、排水ホース１５は、排水パイプ１２に挿入するための屈曲部１６を有するＬ字状挿入部１７を設ける共に、屈曲部１６を覆うように屈曲部１６の外形に沿った形状を有する保護部材１８を設け、保護部材１８に溝部１９を形成したことにより、排水ホース１５の洗濯機への外方からの取り付けを容易にするとともに、洗濯機設置時に、排水ホース１５が洗濯機本体と防水パンや設置面との間に挟まれて変形したり破損したりすることを防止し、製品の信頼性を高めることができる。【選択図】図１
2014061048.tif 000002
【特許請求の範囲】
【請求項１】
外箱と、前記外箱の下部に設けた台枠と、洗濯物を収容する洗濯兼脱水槽と、前記洗濯兼脱水槽を内包する水槽と、前記水槽底部に接続された排水弁と、前記排水弁に接続された機内ホースと、前記機内ホースに接続し前記台枠の背面側に設けた排水パイプと、前記排水パイプに接続し前記水槽の水を機外に排水する排水ホースとを備え、前記排水ホースは、前記排水パイプに挿入するための屈曲部を有するＬ字状挿入部を設ける共に、前記屈曲部を覆うように前記屈曲部の外形に沿った形状を有する保護部材を設け、前記保護部材に溝部を形成したことを特徴とする洗濯機の排水ホース。
【発明の詳細な説明】
【技術分野】
【０００１】
本発明は、洗濯水を機外へ排水する洗濯機の排水ホースに関するものである。
【背景技術】
【０００２】
従来、この種の洗濯機の排水ホースは、洗濯機本体の後方背面側に固定した排水筒より排水し、機外に接続した屈曲性を有する排水ホースを、設置場所に応じて左右どちらかの側面側に引き回しする構成が提案されている（例えば、特許文献１参照）。
【０００３】
図７は、特許文献１に記載された従来の洗濯機の外観斜視図、図８は、同洗濯機の排水ホースの要部斜視図、図９は、同洗濯機の排水ホースの要部断面図を示すものである。
【０００４】
図７、図８および図９において、洗濯機本体１００の背面１０１の底部１０３に、洗濯機内の水槽（図示せず）と連通する排出筒１５０を構成し、この排出筒１５０に屈曲性があり軟質な排水ホース２００を接続し、この従来例では洗濯機本体１００の正面から見て右側面１０２側に排水ホース２００を引き回し、下水管４００に接続している。
【先行技術文献】
【特許文献】
【０００５】
【特許文献１】特開２００４−２９０６５１号公報
【発明の概要】
【発明が解決しようとする課題】
【０００６】
しかしながら、前記従来の構成では、以下に記す課題があった。
【０００７】
洗濯機は、一般的に洗濯室などに設置され、空間活用度を高めるために洗濯機の背面や側面などが洗濯室の壁面に近接しているのが通常である。また、床面への水漏れを防止するために、洗濯機の底部を囲う様に構成した立ち上がり部を有する防水パン内部に設置されることが多い。
【０００８】
この状態において、排水ホース２００は、引き回し性を考慮して軟質材で屈曲性があるがゆえに、図１０で示すように、洗濯機設置時に排水ホース２００を排出筒１５０に挿入して接続する際、手指３００Ａ、３００Ｂで持った部分が、矢印方向の手指の押し圧により容易に変形してしまい、排出筒１５０の奥まで確実に挿入して接続されないことがあり、排水時に不完全な接続部より水漏れが発生するという課題があった。
【０００９】
また、洗濯機設置時において、排水ホース２００を背面より左右のいずれかの側面側に引き回して排水配管する場合、設置作業者は背面の排水ホース２００の状況を目視確認しにくく、図１１で示すように、洗濯機本体１００が、二点鎖線で示す状態から防水パン４１１の内方に上方から設置されるとき、排水ホース２００が洗濯機本体１００の底部１０３と、防水パン４１１の外周の立ち上がり部４１０との間に挟みこまれて、２００Ａで示した状態に変形することがある。
【００１０】
この状態になると、変形により排水ホース２００の開口面積が小さくなり排水不良が発生したり、排水ホース２００が損傷したり、あるいは、排水ホース２００の挟み込みにより、洗濯機の水平な設置ができず、製品が傾き、脱水運転等で傾きによる異常振動を引き起こしたりするという課題があった。
【００１１】
本発明は、前記従来の課題を解決するもので、排水ホースの洗濯機への外方からの取り付けを容易にするとともに、洗濯機設置時に排水ホースが洗濯機本体と防水パンや設置面とに挟みこまれて変形したり、破損したりする事を防止することにより、製品の信頼性を高めることを目的としている。
【課題を解決するための手段】
【００１２】
前記従来の課題を解決するために、本発明の洗濯機の排水ホースは、外箱と、前記外箱の下部に設けた台枠と、洗濯物を収容する洗濯兼脱水槽と、前記洗濯兼脱水槽を内包する水槽と、前記水槽底部に接続された排水弁と、前記排水弁に接続された機内ホースと、前記機内ホースに接続し前記台枠の背面側に設けた排水パイプと、前記排水パイプに接続し前記水槽の水を機外に排水する排水ホースとを備え、前記排水ホースは、前記排水パイプに挿入するための屈曲部を有するＬ字状挿入部を設ける共に、前記屈曲部を覆うように前記屈曲部の外形に沿った形状を有する保護部材を設け、前記保護部材に溝部を形成したものである。
【００１３】
これによって、排水ホースの洗濯機への外方からの取り付けを容易にするとともに、洗濯機設置時に、排水ホースが洗濯機本体と防水パンや設置面との間に挟まれて変形したり、破損したりすることを防止することにより、製品の信頼性を高めることができる。
【発明の効果】
【００１４】
本発明の洗濯機の排水ホースは、本体と排水ホースの接続性を向上させ、設置不良と排水不良を防止し、製品の信頼性を高めることができる。
【図面の簡単な説明】
【００１５】
【図１】本発明の実施の形態における洗濯機の縦断面図
【図２】同洗濯機の排水ホースの要部斜視図
【図３】同洗濯機の排水ホースの要部分解平面図
【図４】同洗濯機の排水ホースの要部分解断面図
【図５】同洗濯機の排水ホースの要部組立断面図
【図６】同洗濯機の排水ホースの設置状態を示す説明図
【図７】従来の洗濯機の外観斜視図
【図８】従来の洗濯機の排水ホースの要部斜視図
【図９】従来の洗濯機の排水ホースの要部断面図
【図１０】従来の洗濯機の排水ホースの要部断面図
【図１１】従来の洗濯機の排水ホースの設置状態を示す説明図
【発明を実施するための形態】
【００１６】
第１の発明は、外箱と、前記外箱の下部に設けた台枠と、洗濯物を収容する洗濯兼脱水槽と、前記洗濯兼脱水槽を内包する水槽と、前記水槽底部に接続された排水弁と、前記排水弁に接続された機内ホースと、前記機内ホースに接続し前記台枠の背面側に設けた排水パイプと、前記排水パイプに接続し前記水槽の水を機外に排水する排水ホースとを備え、前記排水ホースは、前記排水パイプに挿入するための屈曲部を有するＬ字状挿入部を設ける共に、前記屈曲部を覆うように前記屈曲部の外形に沿った形状を有する保護部材を設け、前記保護部材に溝部を形成したことにより、排水ホースの洗濯機への外方からの取り付けを容易にするとともに、洗濯機設置時に、排水ホースが洗濯機本体と防水パンや設置面との間に挟まれて変形したり破損したりすることを防止し、製品の信頼性を高めることができる。
【００１７】
以下、発明の実施の形態について、図面を参照しながら説明する。また、この実施の形態によって本発明が限定されるものではない。
【００１８】
（実施の形態１）
図１は、本発明の実施の形態における洗濯機の縦断面図であり、図２は、同洗濯機の排水ホースの要部斜視図、図３は、同洗濯機の排水ホースの要部分解平面図を示すものである。
【００１９】
図１、図２、および図３において、外箱１内部に弾性支持機構３により垂下防振支持された水槽２に、有底略円筒状をなし周壁に多数の小孔を有する洗濯兼脱水槽４を回転自在に内包している。
【００２０】
また、洗濯兼脱水槽４の底部には衣類撹拌用の撹拌翼５が回転自在に配されており、この撹拌翼５、および洗濯兼脱水槽４は、水槽２の外底部に固定したモータ６により回転駆動される。
【００２１】
外箱１の最上部には、中央部に洗濯兼脱水槽４内を臨む洗濯物出入口８を形成したトップカバー７を装着しており、この洗濯物出入口８を開閉自在に覆うように、平面状の蓋体９が配設されている。
【００２２】
洗濯兼脱水槽４の上部には、内部にバランサー液を封入した環状の流体バランサー１０が取り付けられており、脱水時の振動を低減している。
【００２３】
外箱１は、外箱１を下方より支える合成樹脂等の防錆能力に優れた材質で構成された台枠１１に載設されており、台枠１１の背面側の略中央部には、背面側に吐出側を有する排水パイプ１２が一体的に形成されている。
【００２４】
水槽２内の洗濯水は水槽２の外底部に設けた排水弁１３により排水、止水が制御されており、排水時に排水弁１３が開放されると、洗濯水は、排水弁１３と排水パイプ１２との間に接続された機内ホース１４を介して、排水パイプ１２の外方に接続された屈曲性があり軟質な材質で構成された排水ホース１５から機外へ排水される。
【００２５】
排水ホース１５は、一端に排水パイプ１２に挿入するためのＬ字状挿入部１７を有しており、排水ホース１５を洗濯機が設置された場所の近傍にある排水口へ配設しやすくするために、Ｌ字状挿入部１７には略直角に曲げられた屈曲部１６（図３、図４参照）を設けている。
【００２６】
また、Ｌ字状挿入部１７には、屈曲部１６全体を覆うように、屈曲部１６の外形に沿って剛性を有する硬質の保護部材１８を装着している。
【００２７】
なお、保護部材１８の一部には、空隙からなる溝部１９を形成し、保護部材１８そのものが有する弾性を利用して使用者は溝部１９を広げて屈曲部１６に外方から嵌め込むことが可能である。
【００２８】
保護部材１８は、硬質材のポリプロピレン樹脂等で形成されており、軟質な材料で構成された排水ホース１５の可撓性を利用して、保護部材１８を図３の実線矢印の方向に溝部１９より、Ｌ字状挿入部１７の屈曲部１６に嵌め込み装着する。
【００２９】
つまり、保護部材１８は、溝部１９を形成しているために、硬質材ではあるが弾性を有しており、屈曲部１６を挟持するようになっている。なお、溝部１９は、屈曲部１６を覆う面積が極力減少しないように、曲面である屈曲部１６の径小側に形成してある。
【００３０】
以上のように構成した洗濯機について、以下、その動作、作用を説明する。
【００３１】
図４は、発明の実施の形態における洗濯機の排水ホースの要部分解断面図、図５は、同洗濯機の排水ホースの組立断面図、図６は、同洗濯機の排水ホースの設置状態を示す説明図である。
【００３２】
図４、図５、および図６において、洗濯機設置時に排水ホース１５は、屈曲部１６を覆うべくＬ字状挿入部１７に保護部材１８を装着しているので、台枠１１の背面側に形成した排水パイプ１２に挿入して接続する際に、図４に示すように、Ｌ字状挿入部１７を手指２０Ａ、２０Ｂで持ち、矢印の方向へ押圧を加えても変形を防止でき、容易かつ確実に排水パイプ１２の奥まで挿入して接続できるので、接続不良による排水時の水漏れを防止できる。
【００３３】
また、屈曲部１６を有するＬ字状挿入部１７を設けたので、排水ホース１５を大きな円弧状に巻きまわすことが不要で、洗濯機背面側に、設置場所の壁面が近接した場合でも、排水ホース１５が折れ曲がったり変形したりすることによる、排水能力の低下を防止する。
【００３４】
また、図６のように、洗濯機を防水パン２３に設置する時に、外箱１あるいは台枠１１と防水パン２３の外周リブ立ち上がり部２１あるいは床面２２との間に挟まれた際には、排水ホース１５のＬ字状挿入部１７に装着した保護部材１８により排水ホース１５が変形してしまうのを防止できると共に、設置作業者に、製品が傾くことにより排水ホース１５の挟み込みを認識させることができ、正常な設置状態にするための設置作業が正確に行える。
【００３５】
また、排水パイプ１２は、台枠１１の背面側の略中央部に設けてあるので、排水ホース１５を洗濯機の左右どちら側に引き回して配管する場合でも、作業が同様に行える。
【００３６】
以上のように、洗濯機下部の台枠背面側に形成した排水パイプ外方に接続した排水ホースは、排水パイプに挿入するための屈曲部を有したＬ字状挿入部を形成すると共に、屈曲部を覆うように屈曲部の外形に沿って硬質材の合成樹脂等で形成した保護部材を装着し、保護部材には一部に溝部を形成したことにより、排水ホースの洗濯機への外方からの取り付けを容易にするとともに、洗濯機設置時に、排水ホースが洗濯機本体と防水パンや設置面との間に挟まれて変形したり、破損したりすることを防止し、製品の信頼性を高めることができる。
【産業上の利用可能性】
【００３７】
以上のように、本発明にかかる洗濯機の排水ホースは、洗濯機設置時の適切な設置を実現し、設置による不具合を防止できるので、排水ホースを有する他の洗濯機等の用途に適用できる。
【符号の説明】
【００３８】
１  外箱
２  水槽
４  洗濯兼脱水槽
１１  台枠
１２  排水パイプ
１３  排水弁
１４  機内ホース
１５  排水ホース
１６  屈曲部
１７  Ｌ字状挿入部
１８  保護部材
１９  溝部
【図１】
2014061048.tif 000003
【図２】
2014061048.tif 000004
【図３】
2014061048.tif 000005
【図４】
2014061048.tif 000006
【図５】
2014061048.tif 000007
【図６】
2014061048.tif 000008
【図７】
2014061048.tif 000009
【図８】
2014061048.tif 000010
【図９】
2014061048.tif 000011
【図１０】
2014061048.tif 000012
【図１１】
2014061048.tif 000013